(57)【要約】【課題】  固体の薬品を容器から移したり、計量したりする際に、薬品を無駄に零し、机や床に散らかすことが防止される薬品用スパチュラを提供する。【解決手段】  柄の少なくとも一方の端にへらを備えた薬さじ、および前記へらを囲うことができる大きさのカップからなり、  該カップは、へら側にカップ開口部があり、カップ底部を薬さじの柄が貫通していて、薬さじの長手方向に移動可能に柄に取り付けられており、  薬品をへらに載せているときに、前記カップをへら側に移動してへらを囲い薬品がへらから零れたときにカップで受けることができる、薬品用スパチュラ。【選択図】図１
2009039324.tif 000002
【特許請求の範囲】
【請求項１】
柄の少なくとも一方の端にへらを備えた薬さじ、および前記へらを囲うことができる大きさのカップからなり、
該カップは、へら側にカップ開口部があり、カップ底部を薬さじの柄が貫通していて、薬さじの長手方向に移動可能に柄に取り付けられており、
薬品をへらに載せているときに、前記カップをへら側に移動してへらを囲い薬品がへらから零れたときにカップで受けることができる、薬品用スパチュラ。
【発明の詳細な説明】
【技術分野】
【０００１】
本発明は、薬品用スパチュラに関する。さらに詳細には、固体の薬品を容器から移したり、計量したりする際に、薬品を無駄に零し、机や床に散らかすことが防止される薬品用スパチュラに関する。
【背景技術】
【０００２】
固体の薬品を容器から移したり、計量したりするために使用されるスプーンとして、さまざまな機能を付与した薬さじが提案されている。
例えば、特許文献１には、へらの部分に匙機能を設けた均しへらが記載されている。均しへらの先端に薬匙ようのくぼみを設けることにより、均しへらを薬匙のように使用することができる。その結果、これまでのように薬匙と均しへらを持ち替えることなくスムーズに秤量と粉の均しをすることができると教示している。
【０００３】
特許文献２には物が入れられる頭部と、この頭部に近い側に位置する第１の柄部と、頭部に遠い側に位置する第２の柄部とを備え、第２の柄部が第１の柄部に対して折り畳み可能に構成された折り畳み式匙が開示されている。
特許文献３には、頭部が封止された中空管からなる本体の先端が匙状に形成されており、上記本体が匙状部分に移行する付近の開口には水溶可食性の材料からなるフイルム又は充填物にて密閉されていることを特徴とする添加料の容器を兼ねた匙が開示されている。
しかしながら、へらで掬った薬品が零れたときに、机や床に散らかるのを防止することができる薬さじは提案されていなかった。
【０００４】
【特許文献１】特開２００３−３３４２３５号公報
【特許文献２】特開平１０−１９２１６６号公報
【特許文献３】実開平６−７５２７４号公報
【発明の開示】
【発明が解決しようとする課題】
【０００５】
本発明の目的は、固体の薬品を容器から移したり、計量したりする際に、薬品を無駄に零し、机や床に散らかすことが防止される薬品用スパチュラを提供することにある。
【課題を解決するための手段】
【０００６】
本発明者は、前記目的を達成するために鋭意検討した結果、固体の薬品を容器から移したり、計量するために使用される薬さじの柄に、へら側にカップ開口部があり、カップ底部に薬さじの柄が貫通していて、薬さじの長手方向に移動可能にカップを取り付けることによって、固体の薬品を容器から移したり、計量する際に、薬品を無駄に零したりすることを防止できることを見出した。本発明はこの知見に基づいてさらに検討した結果完成したものである。
【０００７】
すなわち、本発明は、柄の少なくとも一方の端にへらを備えた薬さじ、および前記へらを囲うことができる大きさのカップからなり、  該カップは、へら側にカップ開口部があり、カップ底部を薬さじの柄が貫通していて、薬さじの長手方向に移動可能に柄に取り付けられており、  薬品をへらに載せているときに、前記カップをへら側に移動してへらを囲い薬品がへらから零れたときにカップで受けることができる、薬品用スパチュラである。
【発明の効果】
【０００８】
本発明の薬品用スパチュラによれば、固体の薬品を容器から移したり、計量したりする際に、へらで掬った薬品がへらから零れても机や床に散らかるのを防止できる。
【発明を実施するための最良の形態】
【０００９】
本発明の薬品用スパチュラを、図面を参照しながら説明する。なお、本発明は図面に示したものに限定されない。
【００１０】
本発明の薬品用スパチュラは、柄の少なくとも一方の端にへらを備えた薬さじ、および前記へらを囲うことができる大きさのカップからなるものである。
薬さじは、固体の薬品を容器から移したり、計量したりするために使用されるスプーンのことである。柄の少なくとも一方の端に、固体の薬品を載せるへらが備わっている。へらは柄の両端に有ってもよく、柄の両端にあるへらは、その大きさが異なっていてもよい。なお、薬品は、化学薬品、医薬品、農薬などを含む。
【００１１】
薬さじの材質はステンレスやチタン、白金などの金属からなるもの、ＡＢＳ樹脂、フッ素樹脂などのプラスチックからなるもの、いずれのものでもよい。ステンレス製のものは酸性物質や酸化性物質に使用すると腐食され、ＡＢＳ樹脂のものは有機物に使用すると溶けてしまうことがあるため使用する対象によって使い分けることができる。チタン、白金、フッ素樹脂などを材質とするものは高価だが耐食性に優れている。
大きさは、特に制限されず、耳掻きやマイクロスパーテルとも呼ばれているようなミリグラム単位の薬品を移すために使用される小型のものから、一度に１００グラム程度の物質を移せるような大型のものまである。
【００１２】
カップは、前記へらを囲うことができる大きさのものであれば、特に形状に制限はない。該カップは、へら側にカップ開口部があり、カップ底部を薬さじの柄が貫通していて、薬さじの長手方向に移動可能に柄に取り付けられており、薬品をへらに載せているときに、前記カップをへら側に移動してへらを囲い薬品がへらから零れたときにカップで受けることができるようになっている。
【００１３】
図１（ａ）は、カップＣを薬さじの手元側に移動させている状態を示すものである。この状態において、薬品をへらＰで掬うことができる。
図１（ｂ）は、カップＣを薬さじのへら側に移動させている状態を示すものである。カップがへら全体を囲い、へらに薬品を載せているときにへらから薬品が零れても、カップによって薬品を受けることができ、机や床等に薬品が零れ散ることが防止される。図１（ｂ）ではへら全体をカップが囲っているが、へらで掬った薬品が零れたとき薬品を受けることができる構造であれば、図２に示すような、へらの上側が開いていて、下側だけを囲むことができるカップであってもよい。
【００１４】
図１ではカップの底面ほぼ中央に柄が貫通しているが、カップ底部であれば、カップ底面の端に近い部分を柄が貫通していてもよいし、カップ底面に近い側面に柄が貫通していてもよい。貫通している柄とカップ底部の貫通孔との隙間は、薬さじの長手方向にカップが移動可能な程度で且つカップで受けた薬品が貫通孔から抜け落ちない程度の大きさになっていることが好ましい。
【００１５】
カップの材質は、特に限定されず、ステンレスやチタン、白金などの金属からなるものや、ＡＢＳ樹脂、フッ素樹脂などのプラスチックからなるものが挙げられるが、薬品に応じて適宜選択される。カップの材質は、へらを囲ったときに中が透視できるように透明又は半透明なものであることが好ましい。
【図面の簡単な説明】
【００１６】
【図１】本発明の薬品用スパチュラの一実施態様例を示す概念図
【図２】カップの別の態様例を示す概念図
【符号の説明】
【００１７】
Ｓ：柄
Ｃ：カップ
Ｐ：へら
【図１】
2009039324.tif 000003
【図２】
2009039324.tif 000004